(57)【要約】【課題】腕体に重いものを吊り下げた場合でも、容易に外れたり、被取付体を壊したりしないこと。【解決手段】本発明の物掛け具は、支持体１と腕体３を具備しており、支持体１は、縦長方形状の縦板部９の上下端部には、それぞれ後方に突出する上板部８と下板部１０を設けて成る。縦板部９には、下半部に可動孔７を設け、上板部８には、２箇所に爪部１２・１２を設け、下板部１０には、中央にねじ孔１１を設けてある。ねじ孔１１には、下方から締付ねじ２を螺合してある。腕体３は、金属板材をクランク状に折曲して形成されており、垂直状の立上部６の上端部からは前方向に長く突出する吊掛部５を設け、下端部からは後方向に短く突出する受部４を設けてある。受部４の前部に受孔１５を開けてあり、その受孔１５に、締付ねじ２が首部１４を挿通してかしめ止めし、取り付けられている。受部４には、幅が広い厚板状のカバー１３を被せてある。【選択図】図１
2010110496.tif 000002
【特許請求の範囲】
【請求項１】
略垂直状態に設けられる支持体に、腕体を前方に略水平状態に設けて窓枠等の被取付体に取り付けられる物掛け具において、支持体は、縦板部の上部と下部にそれぞれ、後方に突出する上板部と下板部を設けて成り、下板部には、ねじ孔を設けて下方向から締付ねじを螺合して成り、腕体は、被取付体への取付時に支持体の縦板部より後方に突出する受部と、前方に突出する吊掛部とを有し、支持体の上板部と腕体の受部で被取付体を挟み、被取付体の前面よりも後方位置で腕体の受部を締付ねじによって押圧して取り付けることを特徴とする物掛け具。
【発明の詳細な説明】
【技術分野】
【０００１】
本発明は、窓枠やドア枠の上枠や鴨居等の被取付体に取り付けて、主に、洗濯物を掛けたハンガー等を吊り下げて物干として使用する物掛け具に関するものである。
【背景技術】
【０００２】
この種の物掛け具として、特開平９−２９４６６６号公報に記載された発明が提案されており、これは、支持体に腕体を回動可能に止めピンで止めて成るものであり、支持体の上端部に後方に突出するよう設けた上板部と、腕体の後端部に段状に設けた受部とで、被取付体を挟んで取り付けるものである。また、該公報の図３に示す実施例においては、腕体の受部に締付ねじを螺合して、この螺合された締付ねじを回動させて上下移動させ、被取付体の厚さ寸法に対応することができる実施例が記載されている。なお本発明では、支持体の下板部に締付ねじを螺合しているのであって、腕体の受部に締付ねじを螺合しているこの従来例とは相違している。
【特許文献１】特開平９−２９４６６６号公報
【発明の開示】
【発明が解決しようとする課題】
【０００３】
上記従来例においては、支持体は、腕体から止めピンを介して力を受けるが、この位置（力点）が被取付体へ力がかかる支持体の上板部よりも前方にあるため、上板部は、被取付体の前方向、すなわち支持体が被取付体から外れる方向にも力がかかり、腕体に重いものを吊り下げた場合には、外れてしまうという問題があるし、さらには、被取付体は木製である場合が多く、その被取付体が割れて壊れてしまうという問題があり、本発明は、この問題を解決することが課題である。
【課題を解決するための手段】
【０００４】
本発明は、上記の課題を解決するために、略垂直状態に設けられる支持体に、腕体を前方に略水平状態に設けて窓枠等の被取付体に取り付けられる物掛け具において、支持体は、縦板部の上部と下部にそれぞれ、後方に突出する上板部と下板部を設けて成り、下板部には、ねじ孔を設けて下方向から締付ねじを螺合して成り、腕体は、被取付体への取付時に支持体の縦板部より後方に突出する受部と、前方に突出する吊掛部とを有し、支持体の上板部と腕体の受部で被取付体を挟み、被取付体の前面よりも後方位置で腕体の受部を締付ねじによって押圧して取り付けることを特徴とするものである。
【発明の効果】
【０００５】
以上のように本発明によれば、支持体の上板部と腕体の受部で被取付体を挟み、被取付体の前面よりも後方位置で腕体の受部を締付ねじによって押圧して取り付けているので、腕体に重いものを吊り下げて大きな力がかかっても、支持体には、被取付体の前面よりも後方位置にある締付ねじを介して力がかかるので、支持体の上板部には、下方向に大きな力がかかり、被取付体の前方向、すなわち支持体が被取付体から外れる方向にはあまり力がかからず、腕体に重いものを吊り下げた場合でも、容易に、外れたり被取付体を壊したりすることがないという効果がある。
【実施例１】
【０００６】
図１〜図７は、本発明の１実施例の図面であって、本実施例の物掛け具は、支持体１と腕体３を具備しており、支持体１は、縦長方形状の縦板部９の上下端部に、それぞれ後方に突出する上板部８と下板部１０を設けて成る。縦板部９には、下半部に縦長の貫通孔であり、支持体１が上下動できる空間である可動孔７を設け、上板部８には、２箇所に下方向に鋭角状に突出する爪部１２・１２を設け、下板部１０には、中央にねじ孔１１を設けてある。ねじ孔１１には、下方から締付ねじ２を螺合してある。締付ねじ２は、工具なしで回せるよう基端部にノブが付いたねじであり、先端部には径を細くした首部１４を設けてある。なお、上板部８には、その下面に両面粘着テープを設けたり、細かい凹凸を設けたりしてもよく、必ずしも爪部１２・１２は必要ではない。
【０００７】
腕体３は、金属板材を側面視でクランク状に折曲して形成されており、垂直状の立上部６の上端部からは前方向に長く突出する吊掛部５を設け、下端部からは後方向に短く突出する受部４を設けてある。受部４の前部には受孔１５を開けてあり、その受孔１５に、締付ねじ２が首部１４を挿通してかしめ止めされ、取り付けられている。また、受部４には、幅広で厚板状のカバー１３を被せてある。
【０００８】
本実施例の物掛け具を組み立てるには、まず、腕体３の受部４を支持体１の縦板部９の可動孔７に前面から挿通し、下板部１０のねじ孔１１に下方から螺合した締付ねじ２先端の首部１４を受部４の受孔１５に挿通してかしめ止めする。この時、受孔１５に対して首部１４は、遊びがある状態で取り付けられ、締付ねじ２と腕体３は回動自在であるが共に上下動できるようになっており、腕体３の受部４にかかる下方向の力を首部１４下端部の周囲の縁で受けるようになっている。
【０００９】
組み立てられた物掛け具を被取付体Ｔに取り付けるには、被取付体ＴとカーテンレールＣの間から腕体３を横にして通し、回動して被取付体Ｔの上面に支持体１の上板部８を載せ、締付ねじ２を締め付ける方向に回動させると、腕体３の受部４が支持体１の可動孔７の中で上方に移動して被取付体Ｔの下面に当接する。この状態からさらに締付ねじ２を回動させると、受部４が被取付体Ｔの下面に強く当接し、上板部８の爪部１２・１２が被取付体Ｔの上面に食い込み強固に取り付けられる（図１及び図２の状態）。腕体３には、立上部６を設けてあるので、カーテンレールＣが取り付けられていてもそれを避けて被取付体Ｔに取り付けることができる。
【００１０】
腕体３の吊掛部５に洗濯物を掛けたハンガー等を吊り下げると、受部４後端を支点として、受孔１５周縁（力点）から締付ねじ２先端部に力がかかり、締付ねじ２を介して支持体１の下板部１０の中央に設けたねじ孔１１に力がかかり、支持体１に下方向の力がかかることになる。図２に示すように、力がかかるこの位置が、被取付体の前面よりも後方位置であって、支持体１の上板部８後端に設けた爪部１２・１２の垂直線Ｖに近い位置にあるので、爪部１２・１２にほぼ下方向に力がかかり、被取付体の前方向、すなわち支持体が被取付体から外れる方向には大きな力がかかることはない。
【実施例２】
【００１１】
図８の実施例は、本発明の他の実施例であって、本実施例の物掛け具は、支持体１０１と腕体１０３を具備しており、支持体１０１は、縦長方形状の縦板部１０９の上下端部に、それぞれ後方に突出する上板部１０８と下板部１１０を設けて成る。下板部１１０には、実施例１と同様に、中央にねじ孔（符号なし）を設け、このねじ孔に、下方から締付ねじ１０２を螺合してあり、螺合した後、先端部に押圧具１１１を取り付けて成るものである。
【００１２】
腕体１０３は、金属棒材を細長いＵ字状に折曲し、さらに側面視でクランク状に折曲して形成されており、垂直状の立上部１０６の上端部からは前方向に長く突出する吊掛部１０５を設け、下端部からは後方向に短く突出する受部１０４（実施例１と同様にカバーを被せてある）を設けてある。受部１０４の前部下面には受止凹部１１２を開けてあり、その受止凹部１１２に、締付ねじ１０２の押圧具１１１が係合・当接するようになっている。また、立上部１０６の平行な金属棒材の間は、支持体１０１が上下動できる空間である可動空間１０７となっている。
【００１３】
実施例１では、支持体１と腕体３は、組み立てられて一体化するが、本実施例の物掛け具は、支持体１０１と腕体１０３は、被取付体（図示せず）に取り付ける前には一体化していない。
【００１４】
本実施例の物掛け具を被取付体（図示せず）に取り付けるには、支持体１０１の縦板部１０９を腕体１０３の可動空間１０７内に位置させると共に、締付ねじ１０２の押圧具１１１を受部１０４の受止凹部１１２に係合・当接させる。そして、支持体１０１の上板部１０８を被取付体（図示せず）に載置して、締付ねじ１０２を締め付ける方向に回動し、腕体１０３の受部１０４を上方に移動させて被取付体（図示せず）の下面に当接させれば取り付けることができる。
【００１５】
腕体１０３の吊掛部１０５に洗濯物を掛けたハンガー等を吊り下げると、受部１０４後端を支点として、受止凹部１１２（力点）から締付ねじ１０２先端部の押圧具１１１に力がかかり、締付ねじ１０２を介して支持体１０１の下板部１１０の中央に設けたねじ孔（符号なし）に力がかかり、支持体１０１に下方向の力がかかることになる。実施例１と同様に、力がかかるこの位置が、被取付体の前面よりも後方位置であって、支持体１０１の上板部１０８後端縁の垂直線に近い位置になっている。
【図面の簡単な説明】
【００１６】
【図１】実施例１の取付状態を示す側面図である。
【図２】実施例１の要部の拡大断面図である。
【図３】図２をさらに拡大した断面図である。
【図４】実施例１の全体斜視図である。
【図５】実施例１の分解斜視図である。
【図６】実施例１を最も薄い被取付体に取り付けた状態を示す図２と同様の断面図である。
【図７】実施例１を最も厚い被取付体に取り付けた状態を示す図２と同様の断面図である。
【図８】実施例２の全体斜視図である。
【符号の説明】
【００１７】
１    支持体
２    締付ねじ
３    腕体
４    受部
５    吊掛部
７    可動孔
８    上板部
９    縦板部
１０    下板部
１１    ねじ孔
【図１】
2010110496.tif 000003
【図２】
2010110496.tif 000004
【図３】
2010110496.tif 000005
【図４】
2010110496.tif 000006
【図５】
2010110496.tif 000007
【図６】
2010110496.tif 000008
【図７】
2010110496.tif 000009
【図８】
2010110496.tif 000010